(57)【要約】      （修正有）【課題】メモリカード読取機において、同時に、異なるタイプのカードを読み取り、信号変換を記憶し、及びデータを伝送する。【解決手段】ＳＤ、ＣＦ...等のメモリカードの外観であるカード読取機本体を設置し、カード読取機本体が３Ｃメモリカードインターフェースプラグと、それに直交する一方側に設けられた３Ｃメモリカードインターフェースコンセントと、その対向側面に設けられたＵＳＢ信号のあるプラグと、プラグを覆うことができるカバーとを含むマルチスレーブインターフェースカード読取機。【選択図】図２Ａ
0003132682.tif 000002
【実用新案登録請求の範囲】
【請求項１】
３Ｃ装置内に設置されるメモリカードの外観であって、その一側が３Ｃメモリカードインターフェースプラグで、該３Ｃメモリカードインターフェースプラグに直交する一方側に３Ｃメモリカードインターフェースコンセントが設けられ、該３Ｃメモリカードインターフェースプラグの対向側にＵＳＢ信号インターフェースプラグが設けられたカード読取機本体と、  
前記３Ｃメモリカードインターフェースコンセント内に設置され、データを伝送、格納するメモリカードと、  
を含むマルチスレーブインターフェース（ｍｕｌｔｉ  ｓｌａｖｅ  ｉｎｔｅｒｆａｃｅ）カード読取機。  
【請求項２】
前記ＵＳＢ信号インターフェースプラグには、カバーが設けられたことを特徴とする請求項１に記載のマルチスレーブインターフェースカード読取機。  
【請求項３】
前記カバーと前記カード読取機本体の接続箇所に貼付シートを貼付したことを特徴とする請求項２に記載のマルチスレーブインターフェースカード読取機。  
【請求項４】
前記３Ｃメモリカードインターフェースコンセント内にＭｉｃｒｏ―ＳＤメモリカードが収納されたことを特徴とする請求項１に記載のマルチスレーブインターフェースカード読取機。
【請求項５】
前記３Ｃメモリカードインターフェースコンセント内にＭｉｎｉ―ＳＤメモリカードが収納されたことを特徴とする請求項１に記載のマルチスレーブインターフェースカード読取機。
【請求項６】
前記３Ｃメモリカードインターフェースコンセント内にＲＳ―ＭＭＣメモリカードが収納されたことを特徴とする請求項１に記載のマルチスレーブインターフェースカード読取機。
【請求項７】
前記３Ｃメモリカードインターフェースコンセント内にＭｉｃｒｏ―ＭＭＣメモリカードが収納されたことを特徴とする請求項１に記載のマルチスレーブインターフェースカード読取機。
【請求項８】
３Ｃ装置内に設置され、メモリカードの外観であって、その一側が３Ｃメモリカードインターフェースプラグで、前記３Ｃメモリカードインターフェースプラグの対向側にＵＳＢ信号インターフェースプラグが設けられ、前記３Ｃメモリカードインターフェースプラグの該側の水平面に３Ｃメモリカードインターフェース凹溝が設けられ、また３Ｃメモリカードインターフェース凹溝の形状に応じる折畳型蓋を設け、該折畳型蓋が前記３Ｃメモリカードインターフェース凹溝に結合したカード読取機本体と、
前記３Ｃメモリカードインターフェース凹溝内に設置され、データを伝送、格納するメモリカードと、を含むマルチスレーブインターフェースカード読取機。
【請求項９】
前記ＵＳＢ信号インターフェースプラグには、カバーが設けられたことを特徴とする請求項８に記載のマルチスレーブインターフェースカード読取機。
【請求項１０】
前記カバーと前記カード読取機本体の接続箇所に貼付シートを貼付したことを特徴とする請求項９に記載のマルチスレーブインターフェースカード読取機。
【請求項１１】
前記３Ｃメモリカードインターフェース凹溝内にＭｉｃｒｏ―ＳＤメモリカードが収納されたことを特徴とする請求項８に記載のマルチスレーブインターフェースカード読取機。
【請求項１２】
前記３Ｃメモリカードインターフェース凹溝内にＭｉｎｉ―ＳＤメモリカードが収納されたことを特徴とする請求項８に記載のマルチスレーブインターフェースカード読取機。
【請求項１３】
前記３Ｃメモリカードインターフェース凹溝内にＲＳ―ＭＭＣメモリカードが収納されたことを特徴とする請求項８に記載のマルチスレーブインターフェースカード読取機。
【請求項１４】
前記３Ｃメモリカードインターフェース凹溝内にＭｉｃｒｏ―ＭＭＣメモリカードが収納されたことを特徴とする請求項８に記載のマルチスレーブインターフェースカード読取機。
【考案の詳細な説明】
【技術分野】
【０００１】
本考案は、メモリカード読取機に係り、同時に、カード読取や異なるタイプなカードの信号変換を記憶及びデータ伝送の機能を有するものである。
【背景技術】
【０００２】
カード読取機は、既にパソコン周辺機器の不欠な一つになっており、一般のカード読取機の構造は、一端にはカードスロットが設けられ、他端にはＵＳＢコネクタが設けられたケースを有する。このような構造を使用するときに、メモリカードをスロット内に差し込み、さらに、ＵＳＢコネクタをコンピュータのＵＳＢ差込ポートに差し込んで、カード読取機は、メモリカードデータをその内の変換機を介して、パソコンに接続しているＵＳＢコネクタによりパソコンに伝送する。
【０００３】
しかし、科学技術の急速な発展に伴い、各メーカは、新規なメモリカードを続々創作し、例えば、日本のパナソニックや東芝が提出したｍｉｎｉ―ＳＤは、一般のＳＤメモリカードより小さい体積を有し、携帯電話やカメラに適応されるが、従来のカード読取機が、普通、上記のようなメモリカードを読取できず、ユーザは、カードアダプタ（Ｃａｒｄ  ａｄａｐｔｅｒ）によりメモリカードをカードアダプタ内に差込みし、さらに、カードアダプタをカード読取機のスロット内に差し込んで読み取ることをしなければならない。この過程は、ユーザにとってとても不便で、カードアダプタがなければ、メモリカード内のデータを読取できない。
【考案の開示】
【考案が解決しようとする課題】
【０００４】
従来のカード読取機及びメモリカードの不便さに鑑みて、本考案は、このカード読取機が直接、メモリカードコンセントによりメモリカードのデータを伝送でき、また、このカード読取機の外形構造で、一般の３Ｃ装置、例えば、カメラや携帯電話やＭＰ３...等を本考案のカード読取機内に直接に差込み、使用できるため、異なるメモリカードのカードアダプタ（異なるサイズのメモリカードのカードアダプタ）になるように、メモリカードコンセントが内蔵され、さらにＵＳＢ信号コネクタが設けられたカード読取機を設計するものである。さらに、３以上のインターフェースを有するカード読取及びカードアダプタの発明である。  
【０００５】
本考案は、一般の３Ｃ用装置で過電力消費を発生することのない、自動電力管理システムである。  
【課題を解決するための手段】
【０００６】
前記目的を達成するため、本考案は、ＳＤ、ＣＦ...等のメモリカードの外観であるカード読取機本体を設置し、該カード読取機本体が、３Ｃメモリカードインターフェースプラグと、該３Ｃメモリカードインターフェースプラグに直交する一方側に設けられた３Ｃメモリカードインターフェースコンセントと、３Ｃメモリカードインターフェースプラグの対向側面に設けられたＵＳＢ信号のあるプラグと、該プラグを覆うことができるカバーとを含むマルチスレーブインターフェースカード読取機を設計した。該設計したカード読取機本体が、カバーと合せて携帯電話やカメラ...などの装置内に置かれる。  
【０００７】
他の技術手段は、前記の３Ｃメモリカードインターフェースコンセントを代えて、カード読取機本体の水平面上に３Ｃメモリカードインターフェース凹溝を設置し、また、該３Ｃメモリカードインターフェース凹溝の形状に応じる折畳型蓋を設け、該折畳型蓋の一端が該３Ｃメモリカードインターフェース凹溝に結合し、他一端を開閉に用いる。  
【０００８】
前記３Ｃメモリカードインターフェースコンセントまたは３Ｃメモリカードインターフェース凹溝には、もう一つのより小さい形状のメモリカードを置き、メモリデータをアダプタし、該より小さい形状のメモリカードは、Ｍｉｃｒｏ―ＳＤ、Ｍｉｎｉ―ＳＤ、ＲＳ−ＭＭＣまたはＭｉｃｒｏ―ＭＭＣ...なとであり、メモリカードごとに異なるため、３Ｃメモリカードインターフェースコンセントまたは３Ｃメモリカードインターフェース凹溝を作製す時に、合わせようとするメモリカードに応じてサイズを制御できる。  
【０００９】
前記３Ｃメモリカードインターフェースプラグは、一般の３Ｃ消費装置、例えば、ＳＤカードやＭＭＣカードやＣＦカード...等のコネクタ形式であり、３Ｃ装置、例えば、カメラ、携帯電話、ＭＰ３...等内に差し込む。  
【考案の効果】
【００１０】
従来のメモリカード及びカード読取機に比べて、本考案のカード読取機本体がＵＳＢ信号インターフェースプラグを設置しているため、パソコンホストと直接に接続し、メモリカード内のデータを伝送できる。また、本体内に設置された３Ｃメモリカードインターフェースプラグが、一般の３Ｃ使用装置のプラグ方式、例えば、Ｍｉｎｉ―ＳＤ、Ｍｉｃｒｏ―ＳＤ、Ｍｉｃｒｏ―ＭＭＣメモリカードなどであるため、本体装置を例えば、カメラ、ＭＰ３、携帯電話...等の装置内に差し込むメモリとして用いる。この種の単体がマルチスレーブ（Ｓｌａｖｅ）インターフェースの技術を有し、従来のメモリカード及びカード読取機が単一の装置インターフェース機能しか備えていない特性を覆し、マルチスレーブインターフェースの電源及び信号衝突の不安定な接続を避けた。  
【考案を実施するための最良の形態】
【００１１】
以下に、添付図面及び符号に合せて詳しく説明し、当該技術に習熟する当業者が本明細書を研読した後、此れによって実施できるようにするものである。  
【００１２】
図１は、カード読取機１を示す分解図であり、図１を参照すると、本体１は、メモリカードの外装装置であり、該メモリカードが、ＳＤカード、ＭＭＣカード、ＣＦカード...等であり、本体１には回路が配置され、主に、ＵＳＢ信号インターフェースプラグ１２に設けられたＵＳＢ信号ポート１８と、アダプタ１３と、バッファ（Ｂｕｆｆｅｒ）１４とを有し、また、本体１の裏面及びＵＳＢ信号ポート１８の対向側には、３Ｃメモリカードインターフェースプラグ１１が設置されている（図２を参照する）。  
【００１３】
カード読取機本体１を組み合わせて、図２Ａ及び図２Ｂに示す外観が見られる。本考案の一実施形態は、３Ｃメモリカードインターフェースプラグ１１に直交する一方側に３Ｃメモリカードインターフェースコンセント１５を設け、該３Ｃメモリカードインターフェースコンセント１５が本体１内に延び込み、３Ｃメモリカードインターフェースコンセント１５内にＭｉｎｉ―ＳＤ３、ＲＳ−ＭＭＣ...などの大きさのメモリカードまたはＭｉｃｒｏ―ＳＤ４、Ｍｉｃｒｏ―ＭＭＣ...などのより小さいメモリカードを差し込めるように、製造時に３Ｃメモリカードインターフェースコンセント１５の大きさを調節できる。また、ＵＳＢ信号インターフェースプラグ１２と被覆可能に結合したカバー２を設置する。  
【００１４】
メモリカード３、４のカード読取機本体１での置き方については、前記３Ｃメモリカードインターフェースプラグの外、さらに他の実施形態があり、図３に示すように、カード読取機本体１が前記３Ｃメモリカードインターフェースコンセント１１を有する側の水平面には、Ｍｉｎｉ―ＳＤ３、ＲＳ−ＭＭＣ...などの大きさのメモリカードまたはＭｉｃｒｏ―ＳＤ４、Ｍｉｃｒｏ―ＭＭＣ...などの大きさのメモリカードに対応する３Ｃメモリカードインターフェース凹溝１６を設けて、前記メモリカードを収納し、また、３Ｃメモリカードインターフェース凹溝１６の形状に対応する折畳型蓋１７が設けられ、該蓋１７の一側が３Ｃメモリカードインターフェース凹溝１６の一側に接続し、他の側が折畳型蓋１７の開き及び閉めに用いる。  
【００１５】
図６に示すように、本考案のカード読取機本体１内にメモリカード４が設置されるため、該カード読取機本体１をカバー２と合せてカメラ７やＭＰ３（図に示さず）...などのような一般の３Ｃ消費装置内に置き、メモリとして機能させることができる。カード読取機本体１内のメモリカードのデータを伝送しようとすれば、図４に示すように、カード読取機１のＵＳＢ信号インターフェースプラグ１２とパソコンホスト５（または、同じＵＳＢインターフェースの機器）の接続により、メモリカード４内のデータを伝送、格納でき、何時でも差抜きできる機能を表している。  
【００１６】
さらに、図２Ａ及び図５に示すように、カバー２とカード読取機本体１の接続箇所に貼付シート１９（図に示さず）を貼付し、カバー２と本体１を分離できないようにする。このとき、ＵＳＢインターフェースでメモリカード４内のデータを伝送することはなく、カード読取機本体１の３Ｃメモリカードインターフェースプラグ１１を他のカード読取機６に差し込み、さらに、該カード読取機６のＵＳＢプラグでパソコンのＵＳＢコンセントと接続する。  
【００１７】
以上説明のように、単に本考案の好ましい実施例に過ぎなく、本考案の特許請求の範囲を局限するものではなく、いずれの当該分野における通常の知識を有する専門家が本発明の分野の中で、適当に変更や修飾などを実施できるが、それらの実施のことが本考案の主張範囲内に納入されるべきことは言うまでもないことである。  
【図面の簡単な説明】
【００１８】
【図１】本考案の好ましい実施例を示す分解図である。
【図２Ａ】本考案の好ましい実施例を示す組み合せ図である。
【図２Ｂ】本考案の好ましい実施例を示す組み合せ図である。
【図３】本考案の他の実施例を示す分解図である。
【図４】本考案をパソコンホストに接続した使用状態を示す図である。
【図５】本考案をカード読取機に接続した使用状態を示す図である。
【図６】本考案をカメラに接続した使用状態を示す図である。
【符号の説明】
【００１９】
１    カード読取機本体  
１１  ３Ｃメモリカードインターフェースプラグ  
１２  ＵＳＢ信号インターフェースプラグ  
１３  アダプタ  
１４  バッファ  
１５  ３Ｃメモリカードインターフェースコンセント  
１６  ３Ｃメモリカードインターフェース凹溝  
１７  折畳型蓋  
１８  ＵＳＢ信号ポート  
１９  貼付シート  
２    カバー  
３    Ｍｉｎｉ―ＳＤメモリカード  
４    Ｍｉｃｒｏ―ＳＤメモリカード  
５    パソコンホスト  
６    カード読取機  
７    カメラ    
【図１】
0003132682.tif 000003
【図２Ａ】
0003132682.tif 000004
【図２Ｂ】
0003132682.tif 000005
【図３】
0003132682.tif 000006
【図４】
0003132682.tif 000007
【図５】
0003132682.tif 000008
【図６】
0003132682.tif 000009